(57)【特許請求の範囲】
【請求項１】
相手側コネクタに嵌合されて前記相手側コネクタに設けられているコネクタ固定部にボルトによって固定されるレバー式コネクタであって、
前記相手側コネクタに嵌合されるハウジングと、
前記ハウジングに固定されているシールドシェルであって、前記ボルトが挿通されて前記コネクタ固定部に固定されるシールドシェルと、
前記ハウジング又は前記シールドシェルに設けられているレバーであって、前記相手側コネクタに設けられている係合部に係合した状態で操作され、その操作によって生じる倍力作用によって前記ハウジングを前記相手側コネクタに嵌合させるレバーと、
を備え、
前記レバーが嵌合位置にある状態で前記シールドシェルと前記レバーとが前記ボルトによって前記コネクタ固定部に共締めされ、
前記ハウジング又は前記シールドシェルには前記レバーの回動軸が設けられており、
前記レバーは前記回動軸が挿入される軸受穴が形成されている腕部と、前記腕部の回動端から前記腕部に直交する方向に延びる固定部であって、前記シールドシェルと伴に前記コネクタ固定部に共締めされる固定部とを有し、
前記軸受穴は前記固定部と前記回動軸との距離を可変にする長穴状に形成されている、レバー式コネクタ。
【請求項２】
相手側コネクタに嵌合されて前記相手側コネクタに設けられているコネクタ固定部にボルトによって固定されるレバー式コネクタであって、
前記相手側コネクタに嵌合されるハウジングと、
前記ハウジングに固定されているシールドシェルであって、前記ボルトが挿通されて前記コネクタ固定部に固定されるシールドシェルと、
前記ハウジング又は前記シールドシェルに設けられているレバーであって、前記相手側コネクタに設けられている係合部に係合した状態で操作され、その操作によって生じる倍力作用によって前記ハウジングを前記相手側コネクタに嵌合させるレバーと、
を備え、
前記レバーが嵌合位置にある状態で前記シールドシェルと前記レバーとが前記ボルトによって前記コネクタ固定部に共締めされ、
前記ハウジング又は前記シールドシェルには軸受穴が設けられており、
前記レバーは前記軸受穴に挿入される回動軸が形成されている腕部と、前記腕部の回動端から前記腕部に直交する方向に延びる固定部であって、前記シールドシェルと伴に前記コネクタ固定部に共締めされる固定部とを有し、
前記軸受穴は前記固定部と前記軸受穴との距離を可変にする長穴状に形成されている、レバー式コネクタ。
【発明の詳細な説明】
【技術分野】
【０００１】
レバー式コネクタに関する。
【背景技術】
【０００２】
従来、コネクタを相手側コネクタに組み付けるために回動操作されるレバーを備えるコネクタが知られている（例えば、特許文献１参照）。
【先行技術文献】
【特許文献】
【０００３】
【特許文献１】特開２０１０−９２６１４号公報
【発明の概要】
【発明が解決しようとする課題】
【０００４】
しかしながら、特許文献１には、嵌合位置（相手側コネクタへの組み付けが完了した位置）まで回動操作されたレバーが逆方向（反嵌合方向）に回動してしまうことをどのように防止するかについては開示されていない。
【０００５】
本明細書では、嵌合位置にあるレバーが反嵌合方向に回動してしまうことを簡素な構成で防止する技術を開示する。
【課題を解決するための手段】
【０００６】
本明細書で開示するレバー式コネクタは、相手側コネクタに嵌合されて前記相手側コネクタに設けられているコネクタ固定部にボルトによって固定されるレバー式コネクタであって、前記相手側コネクタに嵌合されるハウジングと、前記ハウジングに固定されているシールドシェルであって、前記ボルトが挿通されて前記コネクタ固定部に固定されるシールドシェルと、前記ハウジング又は前記シールドシェルに設けられているレバーであって、前記相手側コネクタに設けられている係合部に係合した状態で操作され、その操作によって生じる倍力作用によって前記ハウジングを前記相手側コネクタに嵌合させるレバーと、を備え、前記レバーが嵌合位置にある状態で前記シールドシェルと前記レバーとが前記ボルトによって前記コネクタ固定部に共締めされる。
【０００７】
上記のレバー式コネクタによると、レバーが嵌合位置にある状態でシールドシェルとレバーとがボルトによってコネクタ固定部に共締めされるので、コネクタをコネクタ固定部に固定するための構成とレバーを嵌合位置に固定するための構成とを別々に備える場合に比べ、嵌合位置にあるレバーが反嵌合方向に回動してしまうことを簡素な構成で防止できる。
【０００８】
また、前記ハウジング又は前記シールドシェルには前記レバーの回動軸が設けられており、前記レバーは前記回動軸が挿入される軸受穴が形成されている腕部と、前記腕部の回動端から前記腕部に直交する方向に延びる固定部であって、前記シールドシェルと伴に前記コネクタ固定部に共締めされる固定部とを有し、前記軸受穴は前記固定部と前記回動軸との距離を可変にする長穴状に形成されていてもよい。
【０００９】
上記のレバー式コネクタによると、作業者はレバーを嵌合位置まで回動させるときレバーを引いて固定部と回動軸との距離を長くすることにより、固定部の回動経路上に回動の障害となる物があってもそれを避けてレバーを嵌合位置まで回動させることができる。そして、レバーが回動位置まで回動した後は固定部を回動軸側に移動させることによって固定部をシールドシェルに密着させることができる。それによりレバーをガタつかないように固定することができる。
【００１０】
また、前記ハウジング又は前記シールドシェルには軸受穴が設けられており、前記レバーは前記軸受穴に挿入される回動軸が形成されている腕部と、前記腕部の回動端から前記腕部に直交する方向に延びる固定部であって、前記シールドシェルと伴に前記コネクタ固定部に共締めされる固定部とを有し、前記軸受穴は前記固定部と前記軸受穴との距離を可変にする長穴状に形成されていてもよい。
【００１１】
上記のレバー式コネクタによると、作業者はレバーを嵌合位置まで回動させるときレバーを引いて固定部と軸受穴との距離を長くすることにより、固定部の回動経路上に回動の障害となる物があってもそれを避けてレバーを嵌合位置まで回動させることができる。そして、レバーが回動位置まで回動した後は固定部を軸受穴側に移動させることによって固定部をシールドシェルに密着させることができる。それによりレバーをガタつかないように固定することができる。
【発明の効果】
【００１２】
本明細書で開示するレバー式コネクタによれば、嵌合位置にあるレバーが反嵌合方向に回動してしまうことを簡素な構成で防止できる。
【図面の簡単な説明】
【００１３】
【図１】実施形態に係るコネクタ接続構造の斜視図
【図２】レバー及び回動軸を省略したコネクタを前側から見た斜視図
【図３】コネクタを後側から見た正面図
【図４】コネクタの上面図
【図５】コネクタの側面図
【図６】図３に示すＡ−Ａ線の断面図
【発明を実施するための形態】
【００１４】
＜実施形態１＞
実施形態を図１ないし図６に基づいて説明する。以降の説明において上下方向及び左右方向とは図３に示す上下方向及び左右方向を基準とし、前後方向とは図５に示す前後方向を基準とする。
【００１５】
図１に示すように、本実施形態に係るコネクタ接続構造１はシールド構造体２とコネクタ３とを備えている。シールド構造体２は相手側コネクタの一例である。また、コネクタ３はレバー式コネクタの一例である。
【００１６】
（１）シールド構造体
シールド構造体２はハイブリッド自動車や電気自動車等の車両に搭載されているインバータやモータ等の車載機器を覆うシールドケースに配されるものである。シールド構造体２は導電性を有する金属材によって形成されており、角筒状の相手側嵌合部１１、二つのコネクタ固定部１２、及び、二つの係合部１３を備えている。
【００１７】
二つのコネクタ固定部１２は相手側嵌合部１１の上側から後方に向かって角柱状に突き出すように設けられており、先端が相手側嵌合部１１より後側まで延びている。コネクタ固定部１２の先端部には上下方向に貫通するボルト締結穴１４が形成されている。また、コネクタ固定部１２は下側部分が相手側嵌合部１１と一体化している。
【００１８】
二つの係合部１３は相手側嵌合部１１の左右両側から後方に延出する延出部１３Ａと、延出部１３Ａの先端部から他方の係合部１３側に円柱状に延びるカムピン１３Ｂとを備えている。
【００１９】
（２）コネクタ
コネクタ３は相手側嵌合部１１に嵌合されてコネクタ固定部１２にボルト５０（図６参照）によって固定されるものである。コネクタ３はハウジング２０、ハウジング２０を覆うシールドシェル２１、及び、シールドシェル２１に回動可能に取り付けられているレバー１９を備えている。ハウジング２０及びレバー１９は合成樹脂によって形成されており、シールドシェル２１は導電性の金属材によって形成されている。
【００２０】
図２に示すように、シールドシェル２１の上壁とハウジング２０との間には後述するナット圧入部２５を挟んで左右に二つの空間３３が形成されている。これらの空間３３にはコネクタ固定部１２の先端部が進入する。
【００２１】
（２−１）ハウジング
図２に示すように、ハウジング２０は本体部２２、コネクタ側嵌合部２３、及び、二つの電線引出部２４を有しており、側面視で略Ｌ字状をなしている。また、ハウジング２０の内部には二つの導電部が収容されている。各導電部はそれぞれ雌端子３４（図６参照）、電線２９、及び、雌端子３４と電線２９とを電気的に接続する略Ｌ字状の内部導電部材３０（図６参照）を有している。なお、図６では内部導電部材３０の一部を省略して示している。
【００２２】
本体部２２には上方に伸びるナット圧入部２５が一体に形成されている。ナット圧入部２５には有底の穴が形成されており、上側から図示しないナットが圧入されている。また、本体部２２の後側の面にも有底の穴が形成されており、その穴に図示しないナットが圧入されている。これらのナットはシールドシェル２１を本体部２２に固定するためのボルト２６やボルト２７（図１参照）が締結されるものである。
【００２３】
コネクタ側嵌合部２３は本体部２２の前側から前方に角筒状に張り出すように設けられている。コネクタ側嵌合部２３は相手側嵌合部１１に嵌合挿入されるものである。また、コネクタ側嵌合部２３には二つの端子収容部２８が前方に突出するように配されている。各端子収容部２８はそれぞれ角筒状に形成されており、内側に前述した雌端子３４が収容されている。
【００２４】
電線引出部２４は本体部２２の下方から円錐状に広がる円錐状部分と円錐状部分の下端から円筒状に伸びる円筒状部分とを有しており、内部に電線２９の上端部が収容されている。
【００２５】
（２−２）シールドシェル
図２に示すように、シールドシェル２１は本体部２２の上側、左側、右側、及び、後側を覆っている。シールドシェル２１において本体部２２の上側を覆う上壁、及び、後側を覆う後壁には貫通穴が形成されており、それらの貫通穴にボルト２６，２７（図１参照）が挿通されてシールドシェル２１がハウジング２０に固定されている。
【００２６】
また、シールドシェル２１の上壁には、コネクタ３がシールド構造体２に嵌合された状態においてコネクタ固定部１２のボルト締結穴１４の上方となる位置に二つの貫通穴３１が形成されている。これらの貫通穴３１はシールドシェル２１とレバー１９とをコネクタ固定部１２に共締めするためのボルト５０が挿通されるものである。
また、図１に示すように、シールドシェル２１の左右の側壁の外面にはレバー１９の回動軸３２が円柱状に突出するように一体に形成されている。
【００２７】
（２−３）レバー
次に、図３、図４及び図５を参照して、レバー１９について説明する。レバー１９は作業者がハウジング２０をシールド構造体２に嵌合させる作業を補助するものである。ここで図３、図４及び図５はいずれも嵌合位置にあるレバー１９を示している。嵌合位置とは、コネクタ３が相手側嵌合部１１に嵌合されるまでレバー１９が回動した位置である。
【００２８】
図３に示すように、レバー１９は嵌合位置においてシールドシェル２１の上方に位置する固定部４１と、固定部４１の両端から下方に延びる二つの腕部４２とを有しており、全体として下側が開放されたコ字状をなしている。
【００２９】
図４に示すように、固定部４１は板状に形成されており、シールドシェル２１に形成されている貫通穴３１の上方となる位置に貫通穴４３が形成されている。これらの貫通穴４３は前述したボルト５０が挿通されるものである。貫通穴４３にはボルト５０の軸力を受ける金属製のカラー４４がインサート成形や圧入などによって嵌め込まれている。
【００３０】
図５に示すように、腕部４２の下端部には軸受穴４５が形成されている。レバー１９はシールドシェル２１に形成されている回動軸３２が軸受穴４５に挿入されることによってシールドシェル２１に回動可能に取り付けられている。軸受穴４５は長穴状に形成されており、レバー１９が嵌合位置にあるとき上下方向に長く延びる姿勢となる。
【００３１】
また、腕部４２の下端部にはカム部４６が一体に形成されている。カム部４６にはシールド構造体２に設けられているカムピン１３Ｂが係合するカム溝４７が形成されている。カム溝４７はカムピン１３Ｂが係合している状態でレバー１９が嵌合方向に回動したときにカムピン１３Ｂと回動軸３２との距離が徐々に近くなるようにプロフィールが設定されている。言い換えると、カム溝４７はカムピン１３Ｂが係合している状態でレバー１９が嵌合方向に回動したときにコネクタ３が相手側嵌合部１１側に徐々に移動するようにプロフィールが設定されている。
【００３２】
また、腕部４２の長さは、カム溝４７に係合している状態のカムピン１３Ｂと回動軸３２との距離より長くなっている。このため作業者がレバー１９を嵌合方向に回動させると倍力作用が生じ、コネクタ３を相手側嵌合部１１側に移動させる力が増幅される。これにより作業者は小さい力でコネクタ３をシールド構造体２に嵌合させることができる。
【００３３】
（３）コネクタの嵌合作業
コネクタ３の嵌合作業では、作業者は先ずレバー１９を初期位置（図５においてレバー１９を左回りに９０度〜１２０度回動させた位置）にし、その状態でカム溝４７の入り口がカムピン１３Ｂの上方に位置するようにコネクタ３をシールド構造体２に位置合わせする。
【００３４】
その状態で作業者がレバー１９を嵌合方向（図５において右回り方向）に回動させるとカムピン１３Ｂがカム溝４７に係合し、作業者が更にレバー１９を嵌合方向に回動させるとカムピン１３Ｂとカム溝４７とのカム作用によってコネクタ３が相手側嵌合部１１側に移動する。レバー１９が嵌合位置まで回動するとコネクタ３の相手側嵌合部１１への嵌合が完了する。
【００３５】
ここで、作業者はレバー１９を嵌合位置まで回動させるとき、レバー１９を引いて固定部４１と回動軸３２との距離を長くすることにより、固定部４１がシールドシェル２１の角部に当たらないように回動させる。そして、作業者はレバー１９が嵌合位置まで回動すると固定部４１を回動軸３２側に移動させることによって固定部４１をシールドシェル２１に密着させる。
【００３６】
図６に示すように、作業者はコネクタ３の嵌合が完了するとワッシャ５１、シールドシェル２１、及び、レバー１９をボルト５０によってコネクタ固定部１２に共締めする。これによりレバー１９の反嵌合方向（図５において左回り方向）への回動が防止される。
【００３７】
ここで、シールドシェル２１をボルト５０によってコネクタ固定部１２に固定する理由は、シールドシェル２１とシールド構造体２とを電気的に導通させることによってシールド経路を確保するため、及び、コネクタ３がシールド構造体２に対して大きく振動しないようにすることによってコネクタ３の耐振性を向上させるためである。
【００３８】
（４）実施形態の効果
レバー１９の反嵌合方向への回動を防止する構成としては、例えばレバー１９が嵌合方向に回動するときにハウジング２０あるいはシールドシェル２１に設けられている突起（ランス）を乗り越えるようにする構成や、コネクタ３をボルトでコネクタ固定部１２に固定し、そのボルトとは別のボルトを用いてレバー１９をシールドシェル２１に固定する構成などが考えられる。しかしながら、そのような構成ではコネクタ３をコネクタ固定部１２に固定するための構成とレバー１９を嵌合位置に固定するための構成とを別々に備えなければならないので構成が複雑になる。
これに対し、コネクタ３によると、レバー１９が嵌合位置にある状態でシールドシェル２１とレバー１９とがボルト５０によってコネクタ固定部１２に共締めされるので、コネクタ３をコネクタ固定部１２に固定するための構成とレバー１９を嵌合位置に固定するための構成とを別々に備えなくてよい。このため嵌合位置にあるレバーが反嵌合方向に回動してしまうことを簡素な構成で防止できる。
【００３９】
また、コネクタ３によると、軸受穴４５が長穴状に形成されており、レバー１９が嵌合位置にあるとき軸受穴４５は上下方向に長く延びる姿勢となるので、作業者はレバー１９を嵌合位置まで回動させるときレバー１９を引いて固定部４１と回動軸３２との距離を長くすることにより、固定部４１の回動経路上に回動の障害となる物（本実施形態ではシールドシェル２１の角部）があってもそれを避けてレバー１９を嵌合位置まで回動させることができる。そして、レバー１９が回動位置まで回動した後は固定部４１を回動軸３２側に移動させることによって固定部４１をシールドシェル２１に密着させることができる。それによりレバー１９をガタつかないように固定することができる。
【００４０】
＜他の実施形態＞
本明細書によって開示される技術は上記記述及び図面によって説明した実施形態に限定されるものではなく、例えば次のような実施形態も本明細書によって開示される技術的範囲に含まれる。
【００４１】
（１）上記実施形態ではレバー１９がシールドシェル２１の外面に回動可能に取り付けられている場合を例に説明した。これに対し、レバー１９はシールドシェル２１の内面に回動可能に取り付けられてシールドシェル２１の内側から外に延びている構成であってもよい。
【００４２】
（２）上記実施形態では回動操作されるレバー１９を例に説明した。これに対し、レバー１９はスライド操作されるものであってもよい。
【００４３】
（３）上記実施形態ではレバー１９がシールドシェル２１に取り付けられている場合を例に説明した。これに対し、レバー１９はハウジング２０に取り付けられていてもよい。
【００４４】
（４）上記実施形態ではレバー１９にカム溝４７が設けられ、シールド構造体２にカムピン１３Ｂが設けられている場合を例に説明した。これとは逆に、レバー１９にカムピンが設けられ、シールド構造体２にカム溝が設けられていてもよい。その場合はカム溝が係合部の一例である。
【００４５】
（５）上記実施形態では倍力作用を生じさせる構成としてカム溝４７とカムピン１３Ｂとからなるカム構造を例に説明したが、倍力作用を生じさせる構成はカム構造に限定されるものではなく、梃子の原理を利用した構成などであってもよい。
【符号の説明】
【００４６】
１…コネクタ接続構造、２…シールド構造体（相手側コネクタ）、３…コネクタ（レバー式コネクタ）、１２…コネクタ固定部、１３…係合部、１９…レバー、２０…ハウジング、２１…シールドシェル、３２…回動軸、４１…固定部、４２…腕部、４５…軸受穴、５０…ボルト
【図１】
0006460404.tif 000002
【図２】
0006460404.tif 000003
【図３】
0006460404.tif 000004
【図４】
0006460404.tif 000005
【図５】
0006460404.tif 000006
【図６】
0006460404.tif 000007